(57)【要約】【課題】新たな回路の増設や、処理を増大させることなく、複数種類の誤り訂正符号化の処理に対応することができる信号処理装置等を提供する。【解決手段】外符号処理部１３は、複数種類の誤り訂正外符号のうちいずれか１種類の誤り訂正外符号をデータに付加する。また、スクランブル処理部１２は、当該１種類の誤り訂正外符号が付加されたデータ、および誤り訂正外符号が付加されていないデータにスクランブル処理を施すことが可能である。処理順序決定部１４は、外符号処理部１３によって付加される誤り訂正外符号の種類に応じて、データフレーム同期処理部１１における処理とスクランブル処理部１２における処理との処理順序を決定する。そして、データフレーム同期処理部１１とスクランブル処理部１２とは、処理順序決定部１４が決定した処理順序に従って、先に一方が処理を行い、一方による処理が施されたデータに他方が処理を施す。【選択図】      図９
2018007096.tif 000002
【特許請求の範囲】
【請求項１】
入力されたデータに基づいてフレームを構成するデータフレーム同期処理手段と、
入力されたデータにスクランブル処理を施すスクランブル処理手段と、
前記データフレーム同期処理手段における処理と前記スクランブル処理手段における処理とが施されたデータに誤り訂正外符号を付加する外符号処理手段と、
前記データフレーム同期処理手段と前記スクランブル処理手段とのうちいずれにおける処理を先に実行するのかを決定する処理順序決定手段とを備え、
前記外符号処理手段は、複数種類の誤り訂正外符号のうちいずれか１種類の誤り訂正外符号を前記データに付加し、
スクランブル処理手段は、前記１種類の誤り訂正外符号が付加された前記データ、および誤り訂正外符号が付加されていないデータに前記スクランブル処理を施すことが可能であり、
前記処理順序決定手段は、前記外符号処理手段によって付加される誤り訂正外符号の種類に応じて、前記データフレーム同期処理手段における処理と前記スクランブル処理手段における処理との処理順序を決定し、
前記データフレーム同期処理手段と前記スクランブル処理手段とは、前記処理順序決定手段が決定した処理順序に従って、先に一方が処理を行い、前記一方による処理が施されたデータに他方が処理を施す
ことを特徴とする信号処理装置。
【請求項２】
前記データフレーム同期処理手段は、前記外符号処理手段によって付加される誤り訂正外符号の種類に応じてフレームを構成する処理を行う
請求項１に記載の信号処理装置。
【請求項３】
前記外符号処理手段がデータに付加する誤り訂正外符号は、短縮化リードソロモン（２０４，１８８）符号、または短縮化リードソロモン（２０４，１６６）符号である
請求項１または請求項２に記載の信号処理装置。
【請求項４】
前記処理順序決定手段は、
前記外符号処理手段によって付加される誤り訂正外符号の種類が短縮化リードソロモン（２０４，１８８）符号であった場合に、前記データフレーム同期処理手段における処理を前記スクランブル処理手段における処理よりも先に実行すると決定し
前記外符号処理手段によって付加される誤り訂正外符号の種類が短縮化リードソロモン（２０４，１６６）符号であった場合に、前記スクランブル処理手段における処理を前記データフレーム同期処理手段における処理よりも先に実行すると決定する
請求項３に記載の信号処理装置。
【請求項５】
前記スクランブル処理手段は、前記外符号処理手段によって付加される誤り訂正外符号の種類が短縮化リードソロモン（２０４，１８８）符号であることに応じて構成されている
請求項３または請求項４に記載の信号処理装置。
【請求項６】
請求項１から請求項５のうちいずれか１項に記載の信号処理装置と、
前記信号処理装置において処理が施された信号に、少なくとも周波数変換の処理、および電力増幅の処理を施して無線信号を出力する送信高周波装置とを備えた
ことを特徴とする無線伝送機器。
【請求項７】
入力されたデータに基づいてフレームを構成するデータフレーム同期処理ステップと、
入力されたデータにスクランブル処理を施すスクランブル処理ステップと、
前記データフレーム同期処理ステップにおける処理と前記スクランブル処理ステップにおける処理とが施されたデータに誤り訂正外符号を付加する外符号処理ステップと、
前記データフレーム同期処理ステップと前記スクランブル処理ステップとのうちいずれにおける処理を先に実行するのかを決定する処理順序決定ステップとを含み、
前記外符号処理ステップでは、複数種類の誤り訂正外符号のうちいずれか１種類の誤り訂正外符号を前記データに付加し、
スクランブル処理ステップでは、前記１種類の誤り訂正外符号が付加された前記データ、および誤り訂正外符号が付加されていないデータに前記スクランブル処理を施すことが可能であり、
前記処理順序決定ステップでは、前記外符号処理ステップで付加される誤り訂正外符号の種類に応じて、前記データフレーム同期処理ステップにおける処理と前記スクランブル処理ステップにおける処理との処理順序を決定し、
前記データフレーム同期処理ステップと前記スクランブル処理ステップとにおいて、前記処理順序決定ステップで決定された処理順序に従って、先に一方で処理が行われ、前記一方で処理が施されたデータに他方で処理が施される
ことを特徴とする信号処理方法。
【請求項８】
コンピュータに、
入力されたデータに基づいてフレームを構成するデータフレーム同期処理と、
入力されたデータを暗号化するスクランブル処理と、
前記データフレーム同期処理と前記スクランブル処理とが施されたデータに誤り訂正外符号を付加する外符号処理と、
前記データフレーム同期処理と前記スクランブル処理とのうちいずれの処理を先に実行するのかを決定する処理順序決定処理とを実行させ、
前記外符号処理で、複数種類の誤り訂正外符号のうちいずれか１種類の誤り訂正外符号を前記データに付加させ、
スクランブル処理では、前記１種類の誤り訂正外符号が付加された前記データ、および誤り訂正外符号が付加されていないデータに前記スクランブル処理を施すことが可能であり、
前記処理順序決定処理で、前記外符号処理で付加される誤り訂正外符号の種類に応じて、前記データフレーム同期処理と前記スクランブル処理との処理順序を決定し、
前記データフレーム同期処理と前記スクランブル処理とにおいて、前記処理順序決定処理で決定された処理順序に従って、先に一方の処理が行われ、前記一方の処理が施されたデータに他方の処理が施される
ための信号処理用プログラム。
【発明の詳細な説明】
【技術分野】
【０００１】
本発明は、信号を処理する信号処理装置、無線伝送機器、信号処理方法、および信号処理用プログラムに関する。
【背景技術】
【０００２】
デジタル信号に基づく無線信号を送信し、ＦＰＵ（Ｆｉｅｌｄ  Ｐｉｃｋｕｐ  Ｕｎｉｔ）とも呼ばれる可搬型無線伝送機器がある。そのような無線伝送機器は、例えば、移動中や移動先から無線信号を送信する。そして、そのような無線伝送機器によって送信された無線信号は、例えば、中継局や固定局によって受信される。
【０００３】
非特許文献１には、移動中や移動先から、テレビジョン放送に用いられるデジタル信号に基づく無線信号を送信する可搬型無線伝送機器が記載されている。
【０００４】
非特許文献１に記載されている無線伝送機器は、入力された、映像および音声に応じたデジタル信号に基づくＴＳ（Ｔｒａｎｓｐｏｒｔ  Ｓｔｒｅａｍ）形式の信号（ＴＳパケットともいう）に、伝送路符号化、周波数変換、および電力増幅の処理を施して、無線信号を送信する。
【０００５】
ここで、非特許文献１に記載されている無線伝送機器における伝送路符号化の処理について説明する。図１０は、非特許文献１に記載されている無線伝送機器における伝送路符号化の処理を示す説明図である。図１０に示すように、非特許文献１に記載されている無線伝送機器では、伝送路符号化の処理として、データフレーム同期、簡易スクランブル、エネルギー拡散、誤り訂正符号化、インタリーブ、マッピング、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）フレーム構成、ＯＦＤＭ変調等の処理が順に行われる。
【０００６】
非特許文献１に記載されている無線伝送機器は、データフレーム同期の処理で、誤り訂正符号化の処理に応じたバイト数の、同期バイトと、ＴＳパケットに含まれているデータであるＴＳデータと、誤り訂正に用いられるダミーバイトとを含むデータパケットを生成する。また、非特許文献１に記載されている無線伝送機器は、データフレーム同期の処理で、生成した８つのデータパケットを含むデータフレームを生成する。さらに、非特許文献１に記載されている無線伝送機器は、データフレーム同期の処理で、生成した８つのデータフレームを含むスーパーフレームを生成する。
【０００７】
そして、非特許文献１に記載されている無線伝送機器は、データフレーム同期の処理で生成されたスーパーフレームに、簡易スクランブルの処理を施す。
【０００８】
また、非特許文献１に記載されている無線伝送機器は、誤り訂正符号化の処理で、２０４バイトのうち１６バイトをダミーバイトとする短縮化リードソロモン符号（ＲＳ（２０４，１８８）という）、および２０４バイトのうち３８バイトをダミーバイトとする短縮化リードソロモン符号（ＲＳ（２０４，１６６）という）のうちいずれかの形式に符号化される。
【０００９】
ここで、非特許文献１に記載されている無線伝送機器は、誤り訂正符号化の処理でＲＳ（２０４，１８８）に符号化される場合とＲＳ（２０４，１６６）に符号化される場合とで、データフレーム同期の処理が互いに異なる。具体的には、例えば、誤り訂正符号化の処理でＲＳ（２０４，１８８）に符号化される場合に、データフレーム同期の処理で、８つのＴＳパケットに含まれているＴＳデータに基づいて１つのデータパケットが生成され、誤り訂正符号化の処理でＲＳ（２０４，１６６）に符号化される場合に、７つのＴＳパケットに含まれているＴＳデータに基づいて１つのデータパケットが生成される。
【００１０】
特許文献１には、データフレーム同期の処理や簡易スクランブルの処理等を行って、ＩＦ（Ｉｎｔｅｒｍｅｄｉａｔｅ  Ｆｒｅｑｕｅｎｃｙ）信号を出力する送信制御部を含む送信機が記載されている。
【００１１】
特許文献２には、フレーム構成がなされたフレームに、スクランブルがかけられたフレームを互いに同期させるための信号を付加することが記載されている。
【先行技術文献】
【特許文献】
【００１２】
【特許文献１】特開２００３−１９８８８６号公報
【特許文献２】特開２００３−１７９５２２号公報
【非特許文献】
【００１３】
【非特許文献１】”１．２ＧＨｚ／２．３ＧＨｚ帯テレビジョン放送番組素材伝送用可搬型ＯＦＤＭ方式デジタル無線伝送システム  ＡＲＩＢ  ＳＴＤ−Ｂ５７  ２．０版”、［ｏｎｌｉｎｅ］、平成２６年３月、電波産業会、［平成２８年６月２４日検索］、インターネット（ＵＲＬ：http://www.arib.or.jp/english/html/overview/doc/2-STD-B57v2_0.pdf）
【発明の概要】
【発明が解決しようとする課題】
【００１４】
しかし、非特許文献１に記載されている無線伝送機器では、誤り訂正符号化の処理でＲＳ（２０４，１８８）に符号化される場合とＲＳ（２０４，１６６）に符号化される場合とで、データフレーム同期の処理が互いに異なるので、その後行われる簡易スクランブルの処理がＲＳ（２０４，１８８）に符号化される場合とＲＳ（２０４，１６６）に符号化される場合とで互いに異なることになる。
【００１５】
そうすると、誤り訂正符号化の処理でＲＳ（２０４，１８８）に符号化される場合に応じた簡易スクランブルの処理用の回路と、ＲＳ（２０４，１６６）に符号化される場合に応じた簡易スクランブルの処理用の回路とがそれぞれ用意されなければならない。したがって、送信側の無線伝送機器において、誤り訂正符号化の処理でＲＳ（２０４，１６６）に符号化される場合に応じた簡易スクランブルの処理用の回路にＲＳ（２０４，１８８）に符号化される場合に応じた簡易スクランブルの処理用の回路を流用することができない。
【００１６】
さらに、当該無線伝送機器から送信された信号を受信する受信機器には、誤り訂正符号化の処理でＲＳ（２０４，１８８）に符号化される場合に応じた簡易スクランブルの処理用の回路で処理が行われた信号を処理するための回路と、誤り訂正符号化の処理でＲＳ（２０４，１６６）に符号化される場合に応じた簡易スクランブルの処理用の回路で処理が行われた信号を処理するための回路とがそれぞれ用意されていなければならない。より具体的には、受信側の受信機器において、誤り訂正符号化の処理でＲＳ（２０４，１６６）に符号化される場合に応じた簡易スクランブルの処理用の回路にＲＳ（２０４，１８８）に符号化される場合に応じた簡易スクランブルの処理用の回路を流用することができない。
【００１７】
また、送信側の無線伝送機器における回路と、受信機器における回路との間で無線信号を適切に送受信させるために、どのような簡易スクランブルの処理が行われるのかを、少なくとも、送信側の無線伝送機器の供給元と、受信機器の供給元との間で調整されていなければならない。
【００１８】
つまり、非特許文献１に記載されている無線伝送機器に基づいて、誤り訂正符号化の処理でＲＳ（２０４，１８８）に符号化される場合、およびＲＳ（２０４，１６６）に符号化される場合の両者に対応するためには、新たな回路が必要となったり、処理が増大したりするため、実現困難であった。
【００１９】
特許文献１に記載されている送信機は、誤り訂正符号化の処理で、複数種類の符号化に対応することが考慮されていない。
【００２０】
また、特許文献２に記載されている装置も、フレームが組み立てられてからスクランブルの処理が行われるので、非特許文献１に記載されている無線伝送機器と同様な問題が生じる。
【００２１】
そこで、本発明は、複数種類の誤り訂正符号化の処理に対応することができる信号処理装置、無線伝送機器、信号処理方法、および信号処理用プログラムを提供することを目的とする。
【課題を解決するための手段】
【００２２】
本発明による信号処理装置は、入力されたデータに基づいてフレームを構成するデータフレーム同期処理手段と、入力されたデータにスクランブル処理を施すスクランブル処理手段と、データフレーム同期処理手段における処理とスクランブル処理手段における処理とが施されたデータに誤り訂正外符号を付加する外符号処理手段と、データフレーム同期処理手段とスクランブル処理手段とのうちいずれにおける処理を先に実行するのかを決定する処理順序決定手段とを備え、外符号処理手段は、複数種類の誤り訂正外符号のうちいずれか１種類の誤り訂正外符号をデータに付加し、スクランブル処理手段は、１種類の誤り訂正外符号が付加されたデータ、および誤り訂正外符号が付加されていないデータにスクランブル処理を施すことが可能であり、処理順序決定手段は、外符号処理手段によって付加される誤り訂正外符号の種類に応じて、データフレーム同期処理手段における処理とスクランブル処理手段における処理との処理順序を決定し、データフレーム同期処理手段とスクランブル処理手段とは、処理順序決定手段が決定した処理順序に従って、先に一方が処理を行い、一方による処理が施されたデータに他方が処理を施すことを特徴とする。
【００２３】
本発明による無線伝送機器は、いずれかの態様の信号処理装置と、信号処理装置において処理が施された信号に、少なくとも周波数変換の処理、および電力増幅の処理を施して無線信号を出力する送信高周波装置とを備えたことを特徴とする。
【００２４】
本発明による信号処理方法は、入力されたデータに基づいてフレームを構成するデータフレーム同期処理ステップと、入力されたデータにスクランブル処理を施すスクランブル処理ステップと、データフレーム同期処理ステップにおける処理とスクランブル処理ステップにおける処理とが施されたデータに誤り訂正外符号を付加する外符号処理ステップと、データフレーム同期処理ステップとスクランブル処理ステップとのうちいずれにおける処理を先に実行するのかを決定する処理順序決定ステップとを含み、外符号処理ステップでは、複数種類の誤り訂正外符号のうちいずれか１種類の誤り訂正外符号をデータに付加し、スクランブル処理ステップでは、１種類の誤り訂正外符号が付加されたデータ、および誤り訂正外符号が付加されていないデータにスクランブル処理を施すことが可能であり、処理順序決定ステップでは、外符号処理ステップで付加される誤り訂正外符号の種類に応じて、データフレーム同期処理ステップにおける処理とスクランブル処理ステップにおける処理との処理順序を決定し、データフレーム同期処理ステップとスクランブル処理ステップとにおいて、処理順序決定ステップで決定された処理順序に従って、先に一方で処理が行われ、一方で処理が施されたデータに他方で処理が施されることを特徴とする。
【００２５】
本発明による信号処理用プログラムは、コンピュータに、入力されたデータに基づいてフレームを構成するデータフレーム同期処理と、入力されたデータを暗号化するスクランブル処理と、データフレーム同期処理とスクランブル処理とが施されたデータに誤り訂正外符号を付加する外符号処理と、データフレーム同期処理とスクランブル処理とのうちいずれの処理を先に実行するのかを決定する処理順序決定処理とを実行させ、外符号処理で、複数種類の誤り訂正外符号のうちいずれか１種類の誤り訂正外符号をデータに付加させ、スクランブル処理では、１種類の誤り訂正外符号が付加されたデータ、および誤り訂正外符号が付加されていないデータにスクランブル処理を施すことが可能であり、処理順序決定処理で、外符号処理で付加される誤り訂正外符号の種類に応じて、データフレーム同期処理とスクランブル処理との処理順序を決定し、データフレーム同期処理とスクランブル処理とにおいて、処理順序決定処理で決定された処理順序に従って、先に一方の処理が行われ、一方の処理が施されたデータに他方の処理が施されることを特徴とする。
【発明の効果】
【００２６】
本発明によれば、新たな回路の増設や、処理を増大させることなく、複数種類の誤り訂正符号化の処理に適切に対応することができる。
【図面の簡単な説明】
【００２７】
【図１】第１の実施形態の無線伝送機器の構成例を示すブロック図である。
【図２】第１の実施形態の送信制御部の構成例を示すブロック図である。
【図３】簡易スクランブル処理部を実現するための簡易スクランブル回路（鍵が０ｘＦＦＦＦの場合）の構成例を示す説明図である。
【図４】外符号処理部１１４においてＲＳ（２０４，１８８）が用いられる場合の、データフレーム同期後のデータのタイミングチャートを示す説明図である。
【図５】外符号処理部１１４においてＲＳ（２０４，１６６）が用いられる場合の、データフレーム同期後のデータのタイミングチャートを示す説明図である。
【図６】第１の実施形態の無線伝送機器における送信制御部の動作を示すフローチャートである。
【図７】第２の実施形態の無線伝送機器の構成例を示すブロック図である。
【図８】第２の実施形態の送信制御部の構成例を示すブロック図である。
【図９】第３の実施形態の信号処理装置の構成例を示すブロック図である。
【図１０】非特許文献１に記載されている無線伝送機器における伝送路符号化の処理を示す説明図である。
【発明を実施するための形態】
【００２８】
実施形態１．
第１の実施形態の無線伝送機器１００について、図面を参照して説明する。図１は、第１の実施形態の無線伝送機器１００の構成例を示すブロック図である。本例では、図１に示すように、無線伝送機器１００から出力された信号は２つの送信アンテナに入力される。そして、それら２つの送信アンテナを介してＲＦ信号が送信される。また、それら２つの送信アンテナを介して送信されたＲＦ信号が２つの受信アンテナを介して受信される。つまり、無線伝送機器１００が、２×２のＭＩＭＯ（Ｍｕｌｔｉ−Ｉｎｐｕｔ  ａｎｄ  Ｍｕｌｔｉ−Ｏｕｔｐｕｔ）技術でＲＦ信号を送信する場合を例に説明する。
【００２９】
図１に示すように、第１の実施形態の無線伝送機器１００は、送信制御部１１０と送信高周波部１５０とを含む。図１に示すように、送信制御部１１０には、符号化器等２００が接続されている。なお、無線伝送機器１００が、符号化器等２００を含むように構成されていてもよい。
【００３０】
送信制御部１１０は、符号化器等２００からＴＳ形式の信号を入力され、伝送路符号化を行ってＩＦ（Ｉｎｔｅｒｍｅｄｉａｔｅ  Ｆｒｅｑｕｅｎｃｙ）信号を出力する。
【００３１】
送信高周波部１５０は、送信制御部１１０からＩＦ信号を入力され、少なくとも周波数変換、および電力増幅を行ってＲＦ信号を出力する。
【００３２】
図２は、送信制御部１１０の構成例を示すブロック図である。図２に示すように、送信制御部１１０は、簡易スクランブル処理部１１１、データフレーム同期部１１２、エネルギー拡散処理部１１３、外符号処理部１１４、外インタリーブ処理部１１５、内符号処理部１１６、第１の周波数インタリーブ処理部１１７ａ、第１の時間インタリーブ処理部１１８ａ、第１のマッピング処理部１１９ａ、第１のＯＦＤＭフレーム構成部１２０ａ、第１のＩＦＦＴ処理部１２１ａ、第１のガードインターバル付加処理部１２２ａ、第１の直交変調処理部１２３ａ、第２の周波数インタリーブ処理部１１７ｂ、第２の時間インタリーブ処理部１１８ｂ、第２のマッピング処理部１１９ｂ、第２のＯＦＤＭフレーム構成部１２０ｂ、第２のＩＦＦＴ処理部１２１ｂ、第２のガードインターバル付加処理部１２２ｂ、第２の直交変調処理部１２３ｂ、および信号入力部１２４を含む。
【００３３】
なお、図２に示す各部は、例えば、プログラム制御に従って処理を実行するプロセッサや複数の回路によって実現される。
【００３４】
簡易スクランブル処理部１１１は、特定の相手方に対して行われる通信を想定して、設備規模の縮小と消費電力の削減を図るため、例えば、１６ビットの擬似ランダム系列（生成多項式  Ｘ１６＋Ｘ１２＋Ｘ３＋Ｘ＋１）を加算する簡易なスクランブル方式のスクランブル処理を行う。なお、簡易スクランブル処理部１１１は、ユーザの指示に応じて処理を行うように構成されていてもよい。簡易スクランブル処理部１１１がスクランブルをかける範囲は、例えば、トランスポートパケットのヘッダ（４バイト）及びアダプテーションフィールドを除いたペイロード部分とする。ただし、簡易スクランブル処理部１１１は、送出地点の識別コード等を含むＮＩＴ（ＰＩＤ＝０ｘ００１０）パケットとＮｕｌｌ（ＰＩＤ＝０ｘ１ＦＦＦ）パケットについては、スクランブルをかけなくてもよい。また、簡易スクランブル処理部１１１は、これら以外のＰＩＤ（Ｐｒｏｔｏｃｏｌ  ＩＤｅｎｔｉｆｉｅｒ：パケット識別コードともいう）を有するパケットに、スクランブルをかけなくてもよいものとする。なお、簡易スクランブル処理部１１１は、例えば、各パケットのスクランブル状態を示すように、それぞれのパケットヘッダにおけるｔｒａｎｓｐｏｒｔ＿ｓｃｒａｍｂｌｉｎｇ＿ｃｏｎｔｒｏｌビットを設定するものとする。また、簡易スクランブル処理部１１１は、例えば、パケット識別コード（ＰＩＤ）に「デジタル放送に使用する番組配列情報（ＡＲＩＢ  ＳＴＤ−Ｂ１０）」の規格で設定されたＰＩＤの割り当てを用いるものとする。
【００３５】
図３は、簡易スクランブル処理部１１１を実現するための簡易スクランブル回路（鍵が０ｘＦＦＦＦの場合）の構成例を示す説明図である。なお、スクランブルの鍵は、例えば、当該疑似ランダム系列を発生させるＬＦＳＲ（Ｌｉｎｅａｒ  Ｆｅｅｄｂａｃｋ  Ｓｈｉｆｔ  Ｒｅｇｉｓｔｅｒ：線形帰還シフトレジスタ）にロードする初期値とし、伝送されない。なお、外符号処理部１１４においてＲＳ（２０４，１８８）が用いられる場合に、簡易スクランブル処理部１１１は、ＬＦＳＲへの初期値ロードを、例えば、データフレーム同期が通過した直後に行うものとし、以降、次のデータフレーム同期の処理が行われるまでの間、ＬＦＳＲの動作を継続するものとされてもよい。すると、スクランブルのリセットは、データフレーム周期（８パケット周期）で行われる。スクランブルが禁止されている部分では、例えば、単に擬似ランダム系列の加算を中止するものとされてもよい。
【００３６】
また、外符号処理部１１４においてＲＳ（２０４，１６６）が用いられる場合に、簡易スクランブルが行われる箇所はデータフレーム同期の前とし、この場合のＬＦＳＲへの初期値ロードは、データフレーム同期においてデータフレーム先頭バイト（０ｘＢ８）となるＴＳ同期バイト（０ｘ４７）が通過した直後に行われる。したがって、外符号処理部１１４においてＲＳ（２０４，１６６）が用いられる場合に、簡易スクランブル処理部１１１における処理は、データフレーム同期部１１２における処理の前に行われる。また、外符号処理部１１４においてＲＳ（２０４，１６６）が用いられる場合に、簡易スクランブル処理部１１１は、ＬＦＳＲへの初期値ロードを、例えば、データフレーム同期においてデータフレーム先頭バイト（０ｘＢ８）となるＴＳ同期バイト（０ｘ４７）が通過した直後に行うものとしてもよい。すると、スクランブルのリセットは、７パケットがフレーム構成されたフレームの先頭で行われる。
【００３７】
なお、簡易スクランブル処理部１１１は、例えば、外符号処理部１１４においてＲＳ（２０４，１８８）が用いられる場合にデータフレーム同期部１１２で行われる処理が施されたデータに適切にスクランブル処理を施すことができるように構成され、符号化器等２００が入力したＴＳ形式の信号にも、適切にスクランブル処理を施すことができるように構成されているとする。つまり、簡易スクランブル処理部１１１は、例えば、外符号処理部１１４においてＲＳ（２０４，１８８）が用いられる場合にデータフレーム同期部１１２で行われる処理が施されたデータ、および符号化器等２００が入力したＴＳ形式の信号に、適切にスクランブル処理を施すことができるように構成されているとする。
【００３８】
データフレーム同期部１１２は、外符号処理部１１４においてＲＳ（２０４，１８８）が用いられる場合に、例えば、符号化器等２００から送信制御部１１０に入力されるＴＳ形式の信号を、８ＴＳパケット単位でフレーミング（例えば、フレーム構成）する。具体的には、データフレーム同期部１１２は、例えば、ＴＳパケットをそれぞれ含む８つのデータパケットを含むデータフレームを生成する。データフレームの最初の同期バイトは、例えば、通常のＴＳ同期バイトである０ｘ４７が反転された０ｘＢ８とする。また、データフレーム同期部１１２は、以後の信号処理のタイミングを規定するためのスーパーフレームの構成を行う。なお、データフレーム同期部１１２は、スーパーフレームの先頭とデータフレームの先頭とを一致させる。図４は、外符号処理部１１４においてＲＳ（２０４，１８８）が用いられる場合の、データフレーム同期後のデータのタイミングチャートを示す説明図である。図４に示すように、データフレーム同期部１１２は、８つのデータフレームを含むように、各スーパーフレームを構成する。
【００３９】
また、データフレーム同期部１１２は、外符号処理部１１４においてＲＳ（２０４，１６６）が用いられる場合に、例えば、符号化器等２００である符号化器又は再多重化器から送信制御部１１０に入力されるＴＳ形式の信号を、７ＴＳパケット単位でフレーミングする。データフレーム同期部１１２は、例えば、７つのＴＳパケットの同期バイトとダミーとを除いた１８７×７＝１３０９バイトに１１バイトのヌルを付加した１３２０バイトを１６５バイトずつの８つのパケットに分割して、各パケットに、同期バイト（最初のパケットにはデータフレームの同期バイト（０ｘＢ８）、残りの７つのパケットにはＴＳ同期バイト（０ｘ４７））及びダミーの３８バイトを付加して８つのデータパケットとする。そして、データフレーム同期部１１２は、例えば、８つのデータパケットを含むデータフレームを生成する。また、データフレーム同期部１１２は、以後の信号処理のタイミングを規定するためのスーパーフレームの構成を行う。なお、データフレーム同期部１１２は、スーパーフレームの先頭とデータフレームの先頭とを一致させる。図５は、外符号処理部１１４においてＲＳ（２０４，１６６）が用いられる場合の、データフレーム同期後のデータのタイミングチャートを示す説明図である。図５に例示するように、データフレーム同期部１１２は、例えば、８つのデータフレームを含むように、各スーパーフレームを構成する。
【００４０】
エネルギー拡散処理部１１３は、例えば、ＩＳＯ（Ｉｎｔｅｒｎａｔｉｏｎａｌ  Ｏｒｇａｎｉｚａｔｉｏｎ  ｆｏｒ  Ｓｔａｎｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１３８１８−１の規格に基づいて多重化されたＴＳパケットに、エネルギー拡散のための擬似ランダム系列を加算する。
【００４１】
ただし、外符号にＲＳ（２０４，１６６）が用いられる場合、擬似ランダム系列の加算の範囲は、２０４バイトの各パケットからダミーの３８バイトと、データフレーム同期バイト（０ｘＢ８）と、ＴＳ同期バイト（０ｘ４７）とを除いた部分であるとしてもよい。
【００４２】
なお、外符号にＲＳ（２０４，１６６）が用いられる場合には、エネルギー拡散処理部１１３にはデータフレーム同期部１１２からデータが入力され、外符号にＲＳ（２０４，１８８）が用いられる場合には、エネルギー拡散処理部１１３には簡易スクランブル処理部１１１からデータが入力されるように構成されていてもよい。
【００４３】
外符号処理部１１４は、例えば、ユーザによって選択されたＲＳ（２０４，１８８）とＲＳ（２０４，１６６）とのうちいずれか一方に基づいて、エネルギー拡散処理部１１３が入力したデータに応じた誤り訂正の外符号を生成する。
【００４４】
外符号処理部１１４は、ＲＳ（２０４，１８８）が選択された場合に、例えば、リードソロモン（２５５，２３９）符号化器の入力データ２０４バイトのうちダミーの１６バイトを除いた１８８バイトの前に５１バイトの「０」を付加し、符号化後に先頭の５１バイトを除去することにより、誤り訂正の外符号であるリードソロモン（２０４，１８８）符号を生成する。リードソロモン（２０４，１８８）符号の多項式は、例えば、次の通りとする。
符号生成多項式：ｇ（ｘ）＝（ｘ＋λ０）（ｘ＋λ１）（ｘ＋λ２）．．．．．．．．．（ｘ＋λ１５）
λ＝０２ｈ
体生成多項式：ｐ（ｘ）＝ｘ８＋ｘ４＋ｘ３＋ｘ２＋１
なお、リードソロモン（２０４，１８８）のバイト訂正能力は、例えば、１０−３入力で１０−１１以下であり、１０−４入力で１０−１９以下である。
【００４５】
外符号処理部１１４は、ＲＳ（２０４，１６６）が選択された場合、例えば、リードソロモン（２５５，２１７）符号化器の入力データ２０４バイトのうちダミーの３８バイトを除いた１６６バイトの前に５１バイトの「０」を付加し、符号化後に先頭の５１バイトを除去することにより、誤り訂正の外符号であるリードソロモン（２０４，１６６）符号を生成する。リードソロモン（２５５，２１７）符号の生成多項式は、例えば、次の通りとする。
符号生成多項式：ｇ（ｘ）＝（ｘ＋λ０）（ｘ＋λ１）（ｘ＋λ２）．．．．．．．．．（ｘ＋λ３７）
λ＝０２ｈ
体生成多項式：ｐ（ｘ）＝ｘ８＋ｘ４＋ｘ３＋ｘ２＋１
外インタリーブ処理部１１５は、例えば、１ブロックで１７バイトの遅延量を持つブロックを、第ｎ番目のパスが（ｎ−１）ブロックの遅延量となるように配置した１２パスに、外符号処理部１１４が入力したリードソロモン符号化後の２０４バイトのビットストリームを、１パス当たり１バイトずつ順次供給して行う畳込みインタリーブの処理（外インタリーブの処理）を行う。ここで、トランスポートパケットの同期バイト、並びに、フレーム同期バイトは、例えば、常に、遅延のないパスを通過することとする。また、外インタリーブの処理後のスーパーフレームの先頭は、１１パケット遅延した位置とする。なお、デインタリーブの回路構成は、例えば、先頭のパスにおける遅延ブロックの挿入量を１１とし、パス番号順に１ブロックずつ少なくなるものとする。
【００４６】
内符号処理部１１６は、例えば、外インタリーブ処理部１１５で外インタリーブの処理が行われたデータに基づいて、誤り訂正の内符号を付加する処理を行う。内符号処理部１１６は、誤り訂正の内符号に、例えば、時空間トレリス符号を用いる。時空間トレリス符号の処理では、例えば、構造が同じで重み付け係数が異なる２つの畳込み符号化器に同一の情報が入力され、符号化器出力が２つの送信アンテナに入力される。時空間トレリス符号の復号には、例えば、ビタビ復号法を用いることができる。
【００４７】
第１の周波数インタリーブ処理部１１７ａは、例えば、内符号処理部１１６が入力したデータに、既知の方法で、所定の周波数インタリーブ関数を用いて周波数インタリーブ処理を行う。
【００４８】
第１の時間インタリーブ処理部１１８ａは、例えば、フェージング特性を向上させるため、第１の周波数インタリーブ処理部１１７ａが入力するデータのキャリアを時間軸上で分散させる。時間インタリーブには、例えば、畳込みインタリーブが用いられる。
【００４９】
第１のマッピング処理部１１９ａは、各変調方式に応じて、第１の時間インタリーブ処理部１１８ａが入力したデータに基づき所定のマッピング処理を行う。具体的には、第１のマッピング処理部１１９ａは、例えば、ＢＰＳＫ（Ｂｉｎａｒｙ  Ｐｈａｓｅ  Ｓｈｉｆｔ  Ｋｅｙｉｎｇ）や、ＱＰＳＫ（Ｑｕａｄｒａｔｕｒｅ  Ｐｈａｓｅ  Ｓｈｉｆｔ  Ｋｅｙｉｎｇ）、８ＰＳＫ（８  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）等の変調方式に応じて、所定のマッピング処理を行う。
【００５０】
第１のＯＦＤＭフレーム構成部１２０ａは、第１のマッピング処理部１１９ａが入力したデータに基づいて、例えば、１ＫモードではＯＦＤＭの４０８シンボルで１フレームを構成し、２ＫモードではＯＦＤＭの２０４シンボルで１フレームを構成する。また、第１のＯＦＤＭフレーム構成部１２０ａは、例えば、連続８フレームで１スーパーフレームを構成する。そして、第１のＯＦＤＭフレーム構成部１２０ａは、例えば、ＣＰ（Ｃｏｎｔｉｎｕａｌ  Ｐｉｌｏｔ）、ＳＰ（Ｓｃａｔｔｅｒｄ  Ｐｉｌｏｔ）、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、ＡＣ（Ａｕｘｉｌｉａｒｙ  Ｃｈａｎｎｅｌ）、Ｎｕｌｌ（Ｎｕｌｌ  Ｃａｒｒｉｅｒ）、およびＤａｔａ（Ｄａｔａ  Ｃａｒｒｉｅｒ）の各キャリアによって、ＯＦＤＭフレームを構成する。
【００５１】
第１のＩＦＦＴ処理部１２１ａは、例えば、第１のＯＦＤＭフレーム構成部１２０ａがＯＦＤＭフレームを構成した出力信号にＩＦＦＴ（Ｉｎｖｅｒｓｅ  Ｆａｓｔ  Ｆｏｕｒｉｅｒ  Ｔｒａｎｓｆｏｒｍ）処理を施す。
【００５２】
第１のガードインターバル付加処理部１２２ａは、例えば、第１のＩＦＦＴ処理部１２１ａによってＩＦＦＴ処理が施された出力信号において、有効シンボルの後端部分のガードインターバル長に相当する部分をコピーして、有効シンボルの前に付加する。
【００５３】
第１の直交変調処理部１２３ａは、例えば、第１のガードインターバル付加処理部１２２ａによってガードインターバルが付加された出力信号にＯＦＤＭ変調を施す。
【００５４】
信号入力部１２４は、例えば、ＣＰや、ＳＰ、ＴＭＣＣ、ＡＣ等の信号を第１のＯＦＤＭフレーム構成部１２０ａおよび第２のＯＦＤＭフレーム構成部１２０ｂに入力する。
【００５５】
第２の周波数インタリーブ処理部１１７ｂは、例えば、内符号処理部１１６が入力したデータに、既知の方法で、所定の周波数インタリーブ関数を用いて周波数インタリーブ処理を行う。
【００５６】
第２の時間インタリーブ処理部１１８ｂは、例えば、フェージング特性を向上させるため、第２の周波数インタリーブ処理部１１７ｂが入力するデータのキャリアを時間軸上で分散させる。時間インタリーブには、畳込みインタリーブが用いられる。
【００５７】
第２のマッピング処理部１１９ｂは、各変調方式に応じて、第２の時間インタリーブ処理部１１８ｂが入力したデータに基づき所定のマッピング処理を行う。具体的には、第２のマッピング処理部１１９ｂは、例えば、ＢＰＳＫや、ＱＰＳＫ、８ＰＳＫ、１６ＱＡＭ等の変調方式に応じて、所定のマッピング処理を行う。
【００５８】
第２のＯＦＤＭフレーム構成部１２０ｂは、第２のマッピング処理部１１９ｂが入力したデータに基づいて、例えば、１ＫモードではＯＦＤＭの４０８シンボルで１フレームを構成し、２ＫモードではＯＦＤＭの２０４シンボルで１フレームを構成する。また、第２のＯＦＤＭフレーム構成部１２０ｂは、例えば、連続８フレームで１スーパーフレームを構成する。そして、第２のＯＦＤＭフレーム構成部１２０ｂは、例えば、ＣＰ、ＳＰ、ＴＭＣＣ、ＡＣ、Ｎｕｌｌ、およびＤａｔａの各キャリアによって、ＯＦＤＭフレームを構成する。
【００５９】
第２のＩＦＦＴ処理部１２１ｂは、例えば、第２のＯＦＤＭフレーム構成部１２０ｂがＯＦＤＭフレームを構成した出力信号にＩＦＦＴ処理を施す。
【００６０】
第２のガードインターバル付加処理部１２２ｂは、例えば、第２のＩＦＦＴ処理部１２１ｂによってＩＦＦＴ処理が施された出力信号において、有効シンボルの後端部分のガードインターバル長に相当する部分をコピーして、有効シンボルの前に付加する。
【００６１】
第２の直交変調処理部１２３ｂは、例えば、第２のガードインターバル付加処理部１２２ｂによってガードインターバルが付加された出力信号にＯＦＤＭ変調を施す。
【００６２】
なお、第１の周波数インタリーブ処理部１１７ａから第１の直交変調処理部１２３ａまでの各部では、前述した２つの送信アンテナのうち一方に入力される信号の処理が行われる。また、第２の周波数インタリーブ処理部１１７ｂから第２の直交変調処理部１２３ｂまでの各部では、前述した２つの送信アンテナのうち他方に入力される信号の処理が行われる。
【００６３】
次に、第１の実施形態の無線伝送機器１００の動作について説明する。図６は、第１の実施形態の無線伝送機器１００における送信制御部１１０の動作を示すフローチャートである。
【００６４】
送信制御部１１０は、例えば、ユーザによって外符号処理部１１４においてＲＳ（２０４，１８８）が用いられることが選択された場合に（ステップＳ１０１のＹ）、データフレーム同期部１１２における処理を簡易スクランブル処理部１１１における処理よりも先に実行すると決定し、データフレーム同期部１１２に符号化器等２００が入力した信号を入力する（ステップＳ１０２）。
【００６５】
そして、データフレーム同期部１１２は、ステップＳ１０２の処理で入力された信号にデータフレーム同期の処理を施す（ステップＳ１０３）。
【００６６】
簡易スクランブル処理部１１１は、ステップＳ１０３の処理でデータフレーム同期部１１２によってデータフレーム同期の処理が施されたデータに、簡易スクランブルの処理を施す（ステップＳ１０４）。
【００６７】
送信制御部１１０における、エネルギー拡散処理部１１３から、第１の直交変調処理部１２３ａまたは第２の直交変調処理部１２３ｂまでの各部において、後続する処理が行われる（ステップＳ１０５）。
【００６８】
また、送信制御部１１０は、例えば、ユーザによって外符号処理部１１４においてＲＳ（２０４，１６６）が用いられることが選択された場合に（ステップＳ１０１のＮ）、簡易スクランブル処理部１１１における処理をデータフレーム同期部１１２における処理よりも先に実行すると決定し、簡易スクランブル処理部１１１に符号化器等２００が入力した信号を入力する（ステップＳ１０６）。
【００６９】
簡易スクランブル処理部１１１は、ステップＳ１０６の処理で入力された信号に、簡易スクランブルの処理を施す（ステップＳ１０７）。
【００７０】
データフレーム同期部１１２は、ステップＳ１０６の処理で簡易スクランブルの処理が施された信号にデータフレーム同期の処理を施し（ステップＳ１０８）、ステップＳ１０５の処理に移行する。
【００７１】
本実施形態によれば、外符号処理部１１４においてＲＳ（２０４，１６６）が用いられる場合に、簡易スクランブル処理部１１１における処理がデータフレーム同期部１１２における処理に先だって行われる。
【００７２】
したがって、簡易スクランブル処理部１１１における処理を実行するための回路に、外符号処理部１１４においてＲＳ（２０４，１８８）が用いられる場合に簡易スクランブル処理部１１１における処理を実行するための回路を流用することができる。
【００７３】
よって、ＲＳ（２０４，１８８）が用いられる場合に対応して、簡易スクランブル処理部１１１における処理を実行するための回路を用意すれば、ＲＳ（２０４，１６６）が用いられる場合に対応した回路を新たに用意する必要がなくなる。
【００７４】
したがって、回路や処理を増大させることなく、ＲＳ（２０４，１６６）とＲＳ（２０４，１８８）という複数種類の誤り訂正符号化の処理に対応することができる。
【００７５】
なお、ＲＳ（２０４，１８８）が用いられる場合に対応して用意された簡易スクランブル処理部１１１における処理を実行するための一の回路が、ＲＳ（２０４，１６６）が用いられる場合にも使用されるように構成されていてもよい。具体的には、例えば、当該一の回路に、ＲＳ（２０４，１８８）が用いられる場合にはデータフレーム同期部１１２における処理後のデータが入力され、データフレーム同期部１１２における処理後の当該データが簡易スクランブル処理部１１１に入力される。また、ＲＳ（２０４，１６６）が用いられる場合にはデータフレーム同期部１１２における処理前のデータが簡易スクランブル処理部１１１に入力され、簡易スクランブル処理部１１１における処理後の当該データがデータフレーム同期部１１２に入力されるように構成されていてもよい。つまり、当該一の回路を、ＲＳ（２０４，１８８）が用いられる場合とＲＳ（２０４，１６６）が用いられる場合とで共用するように構成されていてもよい。
【００７６】
そのような構成によれば、簡易スクランブル処理部１１１における処理を実行するための１つの回路で、ＲＳ（２０４，１８８）が用いられる場合とＲＳ（２０４，１６６）が用いられる場合との両者に対応することができるので、両者に応じた回路をそれぞれ用意する場合に比べて、コストを削減したり、無線伝送機器１００の回路規模を削減したり、無線伝送機器１００の外形を小さくしたり、消費電力を削減したりすることができる。
【００７７】
また、ＲＳ（２０４，１８８）が用いられる場合に対応して用意された簡易スクランブル処理部１１１における処理を実行するための回路と同様な回路が、ＲＳ（２０４，１６６）が用いられてデータフレーム同期部１１２における処理前のデータが入力されるように別途用意されていてもよい。
【００７８】
そのような構成によれば、ＲＳ（２０４，１８８）が用いられる場合とＲＳ（２０４，１６６）が用いられる場合とに応じて、簡易スクランブル処理部１１１における処理を実行するための回路がそれぞれ用意されるので、無線伝送機器１００を冗長化して、故障や動作不良等に対する冗長性を高めることができる。
【００７９】
実施形態２．
次に、第２の実施形態の無線伝送機器３００について、図面を参照して説明する。第１の実施形態では、無線伝送機器１００が、ＭＩＭＯ技術でＲＦ信号を送信する場合を例に説明したが、本実施形態では、無線伝送機器３００が、ＳＩＳＯ（Ｓｉｎｇｌｅ−Ｉｎｐｕｔ  ａｎｄ  Ｓｉｎｇｌｅ−Ｏｕｔｐｕｔ）技術でＲＦ信号を送信する場合を例に説明する。図７は、第２の実施形態の無線伝送機器３００の構成例を示すブロック図である。
【００８０】
図７に示すように、第２の実施形態の無線伝送機器３００は、送信制御部３１０と送信高周波部３５０とを含む。図７に示すように、送信制御部３１０には、符号化器等２００が接続されている。なお、無線伝送機器３００が、符号化器等２００を含むように構成されていてもよい。なお、符号化器等２００は、例えば、第１の実施形態における符号化器等２００と同様な構成である。
【００８１】
送信制御部３１０は、符号化器等２００からＴＳ形式の信号を入力され、伝送路符号化を行ってＩＦ信号を出力する。
【００８２】
送信高周波部３５０は、送信制御部３１０からＩＦ信号を入力され、少なくとも周波数変換、および電力増幅を行ってＲＦ信号を出力する。
【００８３】
図８は、送信制御部３１０の構成例を示すブロック図である。図８に示すように、送信制御部３１０は、簡易スクランブル処理部１１１、データフレーム同期部１１２、エネルギー拡散処理部１１３、外符号処理部１１４、外インタリーブ処理部１１５、内符号処理部３１６、遅延補正処理部３１６ａ、ビットインタリーブ処理部３１６ｂ、周波数インタリーブ処理部３１７、時間インタリーブ処理部３１８、マッピング処理部３１９、ＯＦＤＭフレーム構成部３２０、ＩＦＦＴ処理部１２１、ガードインターバル付加処理部３２２、直交変調処理部３２３、および信号入力部３２４を含む。
【００８４】
本実施形態の無線伝送機器３００において、第１の実施形態の無線伝送機器１００と同様な構成要素には、図２と同じ符号を付して説明を省略する。
【００８５】
内符号処理部３１６は、例えば、拘束長が７であり、符号化率が１／２である符号を原符号とするパンクチュアード畳込み符号を用いて、誤り訂正の内符号を付加する処理を行う。原符号の生成多項式は、Ｇ１＝１７１ｏｃｔｅｔであり、Ｇ２＝１３３ｏｃｔｅｔであるとし、パンクチュアー化により、Ｒ＝１／２，Ｒ＝２／３，Ｒ＝３／４，Ｒ＝５／６の４種類の符号化率に対応する。なお、パンクチュアー化パターンはフレーム同期でリセットされるものとする。このとき、フレーム開始の先頭ビットは前フレームのデータ６ビットとモジュロ２演算がなされ、その出力（Ｘ，Ｙ）がパンクチュアー化パターンの開始点となる。なお、Ｘは、Ｇ１＝１７１ｏｃｔｅｔの出力であり、Ｙは、Ｇ２＝１３３ｏｃｔｅｔの出力である。
【００８６】
ビットインタリーブ処理部３１６ｂにおける処理によって送信側および受信側で１２０キャリアシンボルの遅延が生じる。そこで、遅延補正処理部３１６ａは、送信側および受信側で１ＯＦＤＭシンボルの遅延になるようにする。なお、スーパーフレームの先頭は、１ＯＦＤＭシンボル分遅延される。
【００８７】
多値変調が用いられる場合に、キャリア単位の誤りがバースト誤りになるので、その影響を軽減する目的で、ビットインタリーブ処理部３１６ｂは、ビット単位のインタリーブ処理を行う。ビットインタリーブ処理部３１６ｂは、それぞれの変調方式に対応して、各ビットに遅延線を挿入する構成の畳込みインタリーブ処理を行う。なお、ＢＰＳＫに変調される場合、およびＤＢＰＳＫに変調される場合に、ビットインタリーブ処理部３１６ｂは、インタリーブ処理を行わなくてもよい。
【００８８】
周波数インタリーブ３１７は、第１の実施形態における第１の周波数インタリーブ処理部１１７ａおよび第２の周波数インタリーブ処理部１１７ｂと同様な処理を行う。
【００８９】
時間インタリーブ処理部３１８は、第１の実施形態における第１の時間インタリーブ処理部１１８ａおよび第２の時間インタリーブ処理部１１８ｂと同様な処理を行う。
【００９０】
マッピング処理部３１９は、ＢＰＳＫ等の変調方式に応じて、予め決められたマッピング処理を行う。なお、マッピング処理部３１９は、第１の実施形態における第１のマッピング処理部１１９ａおよび第２のマッピング処理部１１９ｂと同様なマッピング処理を行ってもよいし、互いに異なるマッピング処理を行ってもよい。
【００９１】
ＯＦＤＭフレーム構成部３２０は、第１の実施形態における第１のＯＦＤＭフレーム構成部１２０ａおよび第２のＯＦＤＭフレーム構成部１２０ｂと同様な処理を行う。
【００９２】
ＩＦＦＴ処理部３２１は、第１の実施形態における第１のＩＦＦＴ処理部１２１ａおよび第２のＩＦＦＴ処理部１２１ｂと同様な処理を行う。
【００９３】
ガードインターバル付加処理部３２２は、第１の実施形態における第１のガードインターバル付加処理部１２２ａおよび第２のガードインターバル付加処理部１２２ｂと同様な処理を行う。
【００９４】
直交変調処理部３２３は、第１の実施形態における第１の直交変調処理部１２３ａおよび第２の直交変調処理部１２３ｂと同様な処理を行う。
【００９５】
信号入力部３２４は、例えば、ＣＰや、ＳＰ、ＴＭＣＣ、ＡＣ等の信号をＯＦＤＭフレーム構成部３２０に入力する。
【００９６】
第２の実施形態の無線伝送機器３００の動作において、図６に示す第１の実施形態の無線伝送機器１００における各ステップの処理に対応する処理は、第１の実施形態の無線伝送機器１００における処理と同様なため、説明を省略する。
【００９７】
本実施形態によれば、無線伝送機器３００がＳＩＳＯ技術でＲＦ信号を送信する場合であっても、第１の実施形態における効果と同様な効果を奏することができる。
【００９８】
実施形態３．
次に、第３の実施形態の信号処理装置１０について、図面を参照して説明する。図９は、第３の実施形態の信号処理装置１０の構成例を示すブロック図である。
【００９９】
図９に示すように、本実施形態の信号処理装置１０は、データフレーム同期処理部１１、スクランブル処理部１２、外符号処理部１３、および処理順序決定部１４を含む。
【０１００】
データフレーム同期処理部１１は、例えば、図２，８に示すデータフレーム同期部１１２に相当する。
【０１０１】
スクランブル処理部１２は、例えば、図２，８に示す簡易スクランブル処理部１１１に相当する。
【０１０２】
外符号処理部１３は、例えば、図２，８に示す外符号処理部１１４に相当する。
【０１０３】
処理順序決定部１４は、例えば、送信制御部１１０，３１０において、図６に示すステップＳ１０１の処理を実行する部分に相当する。
【０１０４】
データフレーム同期処理部１１は、入力されたデータに基づいてフレームを構成する。
【０１０５】
スクランブル処理部１２は、入力されたデータにスクランブル処理を施す。
【０１０６】
外符号処理部１３は、データフレーム同期処理部１１における処理とスクランブル処理部１２における処理とが施されたデータに誤り訂正外符号を付加する。
【０１０７】
処理順序決定部１４は、データフレーム同期処理部１１とスクランブル処理部１２とのうちいずれにおける処理を先に実行するのかを決定する。
【０１０８】
そして、外符号処理部１３は、複数種類の誤り訂正外符号のうちいずれか１種類の誤り訂正外符号をデータに付加する。
【０１０９】
また、スクランブル処理部１２は、当該１種類の誤り訂正外符号が付加されたデータ、および誤り訂正外符号が付加されていないデータにスクランブル処理を施すことが可能である。
【０１１０】
処理順序決定部１４は、外符号処理部１３によって付加される誤り訂正外符号の種類に応じて、データフレーム同期処理部１１における処理とスクランブル処理部１２における処理との処理順序を決定する。
【０１１１】
そして、データフレーム同期処理部１１とスクランブル処理部１２とは、処理順序決定部１４が決定した処理順序に従って、先に一方が処理を行い、一方による処理が施されたデータに他方が処理を施す。
【０１１２】
本実施形態によれば、１種類の誤り訂正外符号が付加されたデータ、および誤り訂正外符号が付加されていないデータにスクランブル処理を施すことが可能なスクランブル処理部１２を用いて、複数種類の誤り訂正外符号に適切に対応することができる。
【０１１３】
したがって、新たな回路の増設や、処理を増大させることなく、複数種類の誤り訂正符号化の処理に対応することができる。
【符号の説明】
【０１１４】
１０    信号処理装置
１１    データフレーム同期処理部
１２    スクランブル処理部
１３    外符号処理部
１４    処理順序決定部
１００、３００    無線伝送機器
１１０、３１０    送信制御部
１１１    簡易スクランブル処理部
１１２    データフレーム同期部
１１３    エネルギー拡散処理部
１１４    外符号処理部
１１５    外インタリーブ処理部
１１６、３１６    内符号処理部  １１７ａ    第１の周波数インタリーブ処理部
１１７ｂ    第２の周波数インタリーブ処理部
１１８ａ    第１の時間インタリーブ処理部
１１８ｂ    第２の時間インタリーブ処理部
１１９ａ    第１のマッピング処理部
１１９ｂ    第２のマッピング処理部
１２０ａ    第１のＯＦＤＭフレーム構成部
１２０ｂ    第２のＯＦＤＭフレーム構成部
１２１ａ    第１のＩＦＦＴ処理部
１２１ｂ    第２のＩＦＦＴ処理部
１２２ａ    第１のガードインターバル付加処理部
１２２ｂ    第２のガードインターバル付加処理部
１２３ａ    第１の直交変調処理部
１２３ｂ    第２の直交変調処理部
１２４、３２４    信号入力部
１５０、３５０    送信高周波部
２００    符号化器等
３１６ａ    遅延補正処理部
３１６ｂ    ビットインタリーブ処理部
３１７    周波数インタリーブ処理部
３１８    時間インタリーブ処理部
３１９    マッピング処理部
３２０    ＯＦＤＭ構成部
３２１    ＩＦＦＴ処理部
３２２    ガードインターバル付加処理部
３２３    直交変調処理部
【図１】
2018007096.tif 000003
【図２】
2018007096.tif 000004
【図３】
2018007096.tif 000005
【図４】
2018007096.tif 000006
【図５】
2018007096.tif 000007
【図６】
2018007096.tif 000008
【図７】
2018007096.tif 000009
【図８】
2018007096.tif 000010
【図９】
2018007096.tif 000011
【図１０】
2018007096.tif 000012